(57)【特許請求の範囲】
【請求項１】
床下に空間が形成され床の一部を開閉蓋とする床下収納庫であって、
前記床下収納庫内に前記開閉蓋の閉蓋動作に連動して缶を潰す缶潰機が設置され、この缶潰機の下方に潰した缶を収納する缶収納部が配置されることを特徴とする床下収納庫。
【請求項２】
請求項１に記載の床下収納庫であって、前記缶潰機は前記開閉蓋の開閉動作に連動する押圧部と固定の受部とからなり、前記押圧部と前記受部の対向するそれぞれの面は、水平視でＶ字形の凸部と凹部に形成されることを特徴とする床下収納庫。
【請求項３】
請求項１又は請求項２に記載の床下収納庫であって、前記開閉蓋はヒンジ式で、前記開閉蓋と前記押圧部間がアームによるリンク機構で連結されることを特徴とする床下収納庫。
【請求項４】
請求項１乃至請求項３のいずれか１項に記載の床下収納庫であって、前記缶潰機は床下収納庫内の上部に水平に設けられ、前記缶潰機の押圧部の下部を挟んで前記押圧部を前記床と平行にスライド自在に保持する一対のガイドレールが設けられることを特徴とする床下収納庫。
【請求項５】
請求項４に記載の床下収納庫であって、前記一対のガイドレール間の隙間は前記潰した缶の幅より広い幅、且つ潰す前の前記缶の幅より狭い幅で設けられることを特徴とする床下収納庫。
【発明の詳細な説明】
【技術分野】
【０００１】
本発明は床下収納庫に関するもので、詳しくは、家庭内において使用済みの缶を簡便に潰す缶潰機を備える床下収納庫の技術に関する。
【背景技術】
【０００２】
従来、缶入りのジュース等は飲用後にその空き缶が散乱するためにごみ公害問題を起こしている。そして、空き缶の収集には手間がかかり多くの人の力を必要であり、且つ、空き缶をそのままの形状で収集すると大きな収納場所が必要であるという問題点があった。
【０００３】
このため、空き缶を潰す機械が種々開発されているが、その装置は大型で価格も高いため一般普及するには至ってはいない。
【０００４】
そこで、特許文献１に、小型で且つ操作も簡単で多数の空き缶を潰すことのできる空き缶潰し機が開示されている。
【０００５】
図１０に示すように、特許文献１の空き缶潰し機１は、空き缶を受入れるホッパ部６と、ホッパ部の下方に設けられて空き缶を水平にした状態で下降させる通路７と、通路の下方に設けられた収集部８と、レバー１８の枢動によって通路の一番下の空き缶を側面から通路壁面９に押し付けて潰すプレス機構１１と、潰された空き缶だけを通す幅のスリット１２を形成するゲート１３で構成されている。
【０００６】
この空き缶潰し機１によれば、簡単なレバーの回動操作により多数の空き缶が潰せるので容易に回収できる。また、構成が簡単であるので低価格である。
【特許文献１】実願平３−１０７７９４号公報
【発明の開示】
【発明が解決しようとする課題】
【０００７】
ところが、上記の缶潰し機１は、自動販売機等の街頭においての使用には便利であるが、長尺のレバー１８を操作するため広いスペースを確保する必要があるので家庭用としては利便性に欠けるという問題があった。
【０００８】
そこで、本発明はかかる従来技術の問題に鑑みなされたものであって、家庭内において広いスペースを必要とせず簡便に使用できる缶潰機を提供することを目的とする。
【課題を解決するための手段】
【０００９】
請求項１の発明は、床下に空間が形成され床の一部を開閉蓋とする床下収納庫であって、前記床下収納庫内に前記開閉蓋の閉蓋動作に連動して缶を潰す缶潰機が設置され、この缶潰機の下方に潰した缶を収納する缶収納部が配置されることを特徴としている。
【００１０】
請求項２の発明は、請求項１に記載の床下収納庫であって、前記缶潰機は前記開閉蓋の開閉動作に連動する押圧部と固定の受部とからなり、前記押圧部と前記受部の対向するそれぞれの面は、水平視でＶ字形の凸部と凹部に形成されることを特徴としている。
【００１１】
請求項３の発明は、請求項１又は請求項２に記載の床下収納庫であって、前記開閉蓋はヒンジ式で、前記開閉蓋と前記押圧部間がアームによるリンク機構で連結されることを特徴としている。
【００１２】
請求項４の発明は、請求項１乃至請求項３のいずれか１項に記載の床下収納庫であって、前記缶潰機は床下収納庫内の上部に水平に設けられ、前記缶潰機の押圧部の下部を挟んで前記押圧部を前記床面と平行にスライド自在に保持する一対のガイドレールが設けられることを特徴としている。
【００１３】
請求項５の発明は、請求項４に記載の床下収納庫であって、前記一対のガイドレール間の隙間は前記潰した缶の幅より広い幅、且つ潰す前の前記缶の幅より狭い幅で設けられることを特徴としている。  
【発明の効果】
【００１４】
請求項１記載の発明によれば、床下収納庫内に缶潰機及び潰した缶を収納する缶収納部が配置されるので、家庭内において広いスペースを必要とせず通常設置されている床下収納庫をそのまま利用して簡便な缶潰機を備えることができる。
【００１５】
また、床下収納庫の開閉蓋の閉蓋動作に連動して缶を潰すことができるので、大きな人力が不要で簡便な缶潰機を得ることができる。缶を潰すことで缶の容積が減少するので、小スペースで多くの缶を収容できる。
【００１６】
請求項２記載の発明によれば、前記開閉蓋の開閉動作に連動する押圧部と固定の受部の対向するそれぞれの面は、水平視でＶ字形の凸部と凹部に形成されているので、缶に対する初期の折り曲げ圧縮力が容易に得られるので缶を容易に潰すことができる。
【００１７】
請求項３記載の発明によれば、前記開閉蓋はヒンジ式で、前記開閉蓋と前記押圧部間がアームによるリンク機構で連結されるので、前記開閉蓋からの力を缶を潰す力に増大させることができるので容易に缶を潰すことができる。
【００１８】
請求項４記載の発明によれば、前記缶潰機の押圧部の下部を挟んで前記押圧部を前記床面と平行にスライド自在に保持する一対のガイドレールが設けられるので、常に缶の芯に対して力を与えることができる。
【００１９】
このため、常に缶を同じ形状に安定して潰すことができる。
【００２０】
請求項５記載の発明によれば、前記一対のガイドレール間の隙間は前記潰した缶の幅より広い幅、且つ潰す前の前記缶の幅より狭い幅で設けられるので、缶は落下することなく安定してガイドレールに支えられながら潰され、一対のガイドレールの隙間から確実に缶収納部に落とし込むことができる。
【発明を実施するための最良の形態】
【００２１】
＜本発明の第１の実施形態＞
以下に、本発明の実施形態を図１〜図９に基づいて説明する。
【００２２】
＜床下収納庫の構成＞  
図１、図２、図３に示すように、本発明の実施形態における床下収納庫３１は、床下に矩形状の空間３３（長さＬ＝５００ｍｍ、幅Ｂ、深さＨ）が形成され、床３２の一部を開閉蓋３４ａおよび開閉蓋３４ｂとする床下収納庫３１である。
【００２３】
前記床下収納庫３１内に前記開閉蓋３４ａの閉蓋動作に連動して缶を潰す缶潰機３５が設置され、この缶潰機３５の下方に潰した缶を収納する缶収納部３１ａが床下収納庫３１の一部として配置される。より詳しくは、缶収納部３１ａは床下収納庫３１内に別個の収納箱として配置されている。
【００２４】
前記缶潰機３５は前記開閉蓋３４ａの開閉動作に連動する押圧部３６と固定の受部３７とからなり、前記押圧部３６と前記受部３７の対向するそれぞれの面は水平視でＶ字形の凸部３６ａと凹部３７ａに形成される。
【００２５】
前記開閉蓋３４ａは床３２の掘込部３２ａに懸架され、前記開閉蓋３４ａは缶潰機３５のベース４０のフランジ４０eに設けられるヒンジ部３４ｃを中心にして開閉することができる。前記開閉蓋３４ａが掘込部３２ａと当接する領域には衝撃吸収用のパッキン４８が貼着される。
【００２６】
そして、前記開閉蓋３４ａのヒンジ部３４ｃから開閉蓋３４ａの長さの略１／３長さ離れた位置に設けられる支持部３６ｂと前記押圧部３６間がアーム３８によるリンク機構で連結される。
【００２７】
アーム３８は一対の長尺材からなりアーム３８の両端部には前記押圧部３６に連結するための孔３８ｂと前記支持部３６ｂに連結する孔３８ｃを備える。
【００２８】
前記缶潰機３５は床下収納庫３１内の上部に水平に設けられ、前記缶潰機３５の押圧部３６の下部を挟んで前記押圧部３６を前記床３２と平行にスライド自在に保持する一対のガイドレール３９が設けられる。
【００２９】
前記ベース４０の略中央部の底面４０ａに凸状形状のブラケット４６が取付けられ、ブラケット４６の中央部にスライドバー４５の支持用の円孔４５ａを備え、前記円孔４５ａには前記スライドバー４５を円滑にスライドさせるための図示しないスリーブが嵌入される。ブラケット４６の両側部にはガイドレール３９の一端部が固定される。
【００３０】
図４（ａ）、（ｂ）、（ｃ）、図５（ａ）、（ｂ）、（ｃ）に示すように、缶潰機３５のベース４０の底面４０ａは長さＬ１、幅Ｂ１の矩形状で、長さＬ１は床下収納庫３１の空間３３の長さ（内法寸法）Ｌと同じである。（Ｌ＝Ｌ１）
底面４０ａは一対の横側面４０ｂと一対の縦側面４０ｃで囲われており、横側面４０ｂは高さＨ１で上端にはフランジ４０ｄが幅Ｂ２で取付けられ、縦側面４０ｃは高さＨ２で上端にはフランジ４０eが幅Ｂ３で取付けられる。（Ｈ２＞Ｈ１）
そして、この両フランジ４０e間の全長はＬ２である。
【００３１】
また、一方の縦側面４０ｃには一対のガイドレール３９取付用のボルト孔３９ａが設けられるとともに、水平視Ｍ字形状の受部３７が、長さＬ３、幅Ｂ４で底面４０ａから高さＨ３で固着される。この受部３７の凹部３７ａは挟角９０度で形成される。
【００３２】
底面４０ａには孔４１が、長さＬ４、幅Ｂ５の矩形形状の一辺をさらに凹部３７ａに沿うように突出した形状で形成されるが、この孔４１は缶潰機３５によって潰された缶を下方の前記缶収納部３１ａに落とすための孔である。
【００３３】
押圧部３６は高さＨ４、幅Ｂ６で、水平視角度９０度の凸部３６ａを備えるとともに押圧部ベース４３に固着される。押圧部ベース４３は高さＨ４、幅Ｂ７、厚さＭ１で、側面４３ａにはアーム３８を回転自在に支持する軸４４が押圧部３６を水平に貫通して設けられる。
【００３４】
この軸４４に前記孔３８ｂを介して前記アーム３８を取付ける（ここで、一対の長尺材からなるアーム３８の芯間距離はＢ８に形成されている）。さらに、図示しないスナップリングを軸４４の端溝部に嵌めこんでアーム３８を脱落せず回転自在に固着することができる。
【００３５】
押圧部ベース４３の中心部には押圧部３６と逆方向にスライドバー４５（長さＬ５、直径Ｋ）が延設される。また、押圧部ベース４３の両側面４３ａには前記一対のガイドレール３９（直径Ｍ）をスライドするための半円溝４３ｂを備えている。
【００３６】
図６に示すように、缶潰機３５の開閉蓋３４ａを開いて、押圧部３６と受部３７の中間に缶３５ａを挿入し、缶３５ａを一対のガイドレール３９上に保持する。そして、図７に示すように、開閉蓋３４ａを完全に閉じた状態では、押圧部３６と受部３７の中間に挿入された図示しない上記缶３５ａは潰された缶になる。
【００３７】
ここで、上記押圧部ベース４３の半円溝４３ｂにはスライドを容易にするための両鍔のスリーブ３９ｂが嵌入される。
【００３８】
＜床下収納庫の作用＞
図８（ａ）に示すように、開閉蓋３４ａを開いた状態で押圧部３６と受部３７の間に挿入された缶３５ａは、開閉蓋３４ａに付加される加重によってリンク機構としてのアーム３８を介して押圧部３６と受部３７間で加圧される。
【００３９】
そして、図８（ｂ）に示すように、開閉蓋３４ａを完全に閉じた状態では、缶３５ａは潰された缶３５ｂとなる。
【００４０】
このとき、押圧部３６は上記のように押圧部ベース４３の両側面４３ａの半円溝４３ｂに嵌合する両鍔のスリーブ３９ｂを介して前記一対のガイドレール３９上をスライドするため、押圧部３６は安定して水平に移動することができる。さらに、押圧部３６はスライドバー４５を介して水平に保持されているので押圧部３６は回転することなく安定して確実に水平に移動することができる。
【００４１】
このため、缶３５ａは押圧部３６と受部３７に対して芯がずれることもなく前記一対のガイドレール３９に保持されるので、缶３５ａを遂次安定して同一形状に潰すことができる。
【００４２】
そして、開閉蓋３４ａを開くと、押圧部３６と受部３７の間で潰された缶３５ｂはガイドレール３９間の隙間Ｑから容易に落下して缶収納部３１ａに収納される。
【００４３】
今、潰す前の缶３５ａの長さＲ、直径Ｑ１、潰された缶３５ｂの直径Ｑ２とすると、（Ｑ１／２）ｘsin４５°＝Ｑ２／２の関係があるので、Ｑ２＝Ｑ１／√２である。
【００４４】
この関係を確保するように、上記、前記一対のガイドレール３９間の隙間Ｑは前記潰した缶３５ｂの直径Ｑ２より広い幅、且つ潰す前の前記缶３５ａの直径Ｑ１より狭い幅で設定される。
【００４５】
例えば、缶３５ａの直径Ｑ１＝８０ｍｍとすれば、Ｑ２＝５７ｍｍとなるので、Ｑ＝６５ｍｍで設定すればよい。
【００４６】
このとき、上記、底面４０ａに設けられる孔４１の幅Ｂ５との関係はＢ５＞Ｑの関係が必要であるが、潰された缶３５ｂがガイドレール３９間の隙間Ｑに詰まらずに容易に落下できるように、例えば、Ｂ５＝８０ｍｍに設定される。
【００４７】
図９に示すように、本実施例における缶３５ａが潰れ始める時点の幾何学的な状態は、開閉蓋３４ａの傾斜角度α＝２０°で、アーム３８の角度β＝２５°、Ｔ＝５４０ｍｍ、及びＴ１＝１４０ｍｍである。
【００４８】
いま、開閉蓋３４ａの先端部に人の体重（Ｗ＝６０ｋｇ）が掛かるとして缶３５ａに掛かる力Ｗ２を求めると、
ＷｘＴ＝Ｗ１ｘＴ１  及び  Ｗ２＝Ｗ１ｘcos２５°の関係があり、
Ｗ２＝ＷｘＴ／Ｔ１ｘcos２５°である。
【００４９】
ここで、Ｔ＝５４０ｍｍ、及びＴ１＝１４０ｍｍを代入すると、Ｗ２＝２１０Ｋｇとなる。
【００５０】
このＷ２＝２１０Ｋｇはジュース等の空き缶が潰れ始める初期力としては十分な値である。そして、缶が潰れるにしたがってＷ２は漸増するので缶を確実且つ容易に潰すことができる。
【００５１】
このように、床下収納庫の開閉蓋の閉蓋動作に連動して缶を潰すことができるので、大きな人力が不要であり簡便な缶潰機を得ることができる。
【００５２】
そして、床下収納庫内に缶潰機及び潰した缶を収納する缶収納部が配置されるので、家庭内において広いスペースを必要とせず通常設置されている床下収納庫をそのまま利用することができる。
【００５３】
以上、本発明の実施形態を図面に基づいて説明したが、上記の実施例はいずれも本発明の一例を示したものであり、本発明はこれらに限定されるべきでないということは言うまでもない。
【００５４】
缶収納部３１ａは床下収納庫３１の壁等の一部を共用して壁による別スペースに形成してもよい。
【００５５】
前記一対のガイドレール３９間の隙間Ｑは対象となる缶の直径が多種類である場合には、可変式にして隙間Ｑを調節できるようにしても良い。この場合でも、前記押圧部３６と前記受部３７の対向するそれぞれの面は、水平視でＶ字形の凸部３６ａと凹部３７ａに形成されるので、挿入される缶の中心位置が上下に移動しても缶は安定して対称的に９０度に折曲げ圧縮して潰すことができる。
【００５６】
缶潰機３５を床下収納庫の代わりにゴミ箱に取付けることも可能である。
【図面の簡単な説明】
【００５７】
【図１】本発明の実施形態における、床下収納庫３１の一部透視斜視図である。
【図２】本発明の実施形態における、図１のＡ−Ａ断面図である。
【図３】本発明の実施形態における、図２のＢ−Ｂ断面図である。
【図４】本発明の実施形態における缶潰機３５のベース４０を示す、（ａ）は平面図、（ｂ）は正面図、（ｃ）は側面図である。
【図５】本発明の実施形態における押圧部３６と押圧部ベース４３とスライドバー４５と軸４４の組付状態を示す、（ａ）は平面図、（ｂ）は正面図、（ｃ）は側面図である。
【図６】本発明の実施形態における、缶潰機３５の缶３５ａを潰す前の状態を示す斜視図である。
【図７】本発明の実施形態における、缶潰機３５の図示しない缶を潰し終えた状態を示す一部透視斜視図である。
【図８】本発明の実施形態における、（ａ）は、缶３５ａを潰す前の缶３５ａと一対のガイドレール３９の関係を示す平面図、（ｂ）は、潰した缶３５ｂと一対のガイドレール３９の関係を示す平面図である。
【図９】開閉蓋３４ａの先端部に人の体重Ｗが掛かる場合の缶３５ａに掛かる力Ｗ２の説明図である。
【図１０】従来例における、缶潰機１を示す断面図である。
【符号の説明】
【００５８】
３１  床下収納庫
３１ａ  缶収納部
３２  床
３２ａ  掘込部
３３  空間
３４ａ  開閉蓋
３４ｂ  開閉蓋
３４ｃ  ヒンジ部
３５  缶潰機
３６  押圧部
３６ａ  凸部
３６ｂ  支持部
３７  受部
３７ａ  凹部
３８  アーム
３９  ガイドレール
【図１】
0004556796.tif 000002
【図２】
0004556796.tif 000003
【図３】
0004556796.tif 000004
【図４】
0004556796.tif 000005
【図５】
0004556796.tif 000006
【図６】
0004556796.tif 000007
【図７】
0004556796.tif 000008
【図８】
0004556796.tif 000009
【図９】
0004556796.tif 000010
【図１０】
0004556796.tif 000011